(57)【要約】【課題】ドアの機能が制限されることを回避しつつ、防盗性を向上できる係留装置を提供する。【解決手段】本発明による係留装置１は、宅配物収容器２を係留するための係留装置１であって、ドア３と、ドア３に取り付けられドア３の開閉及び施錠を行うための開閉施錠部４と、一部がドア３の室内側に配置されるとともに室内側の部材に固定され、開閉施錠部４をドア３に取り付けるためにドア３に設けられた開口を通してドア３の室外側に引き出され、ドア３の室外側において宅配物収容器２に繋ぐことが可能な係留ワイヤ５とを備える。【選択図】図１
2020191976.tif 000002
【特許請求の範囲】
【請求項１】
宅配物収容器を係留するための係留装置であって、
ドアと、
前記ドアに取り付けられ前記ドアの開閉及び施錠を行うための開閉施錠部と、
一部が前記ドア内又は前記ドアの室内側に配置されるとともに前記ドア内又は前記室内側の部材に固定され、前記開閉施錠部を前記ドアに取り付けるために前記ドアに設けられた開口を通して前記ドアの室外側に引き出されており、前記ドアの室外側において前記宅配物収容器に繋ぐことが可能な係留ワイヤと
を備える、
係留装置。
【請求項２】
前記開閉施錠部は、前記ドアの室内側壁部に取り付けられた室内側ドアハンドルを有しており、
前記係留ワイヤは、前記室内側ドアハンドルに固定されている、
請求項１記載の係留装置。
【請求項３】
前記ドアの室内側に配置され、前記係留ワイヤを巻き取ることが可能な巻取器
をさらに備えている、
請求項１又は請求項２に記載の係留装置。
【請求項４】
前記開閉施錠部は、前記ドアの室外側壁部に取り付けられる室外側ドアハンドルを有しており、
前記室外側ドアハンドルには、前記係留ワイヤが引き出されるワイヤ引出口が設けられており、
前記ワイヤ引出口は、下方に向かって開口している、
請求項１から請求項３までのいずれか１項に記載の係留装置。
【請求項５】
前記室外側ドアハンドルは、室外側ドアハンドル本体と、前記室外側ドアハンドル本体に対して着脱可能に設けられたカバー部材とを有しており、
前記ワイヤ引出口は、前記カバー部材に設けられている、
請求項４記載の係留装置。
【請求項６】
前記係留ワイヤの切断を検出する切断検出部と、
前記切断検出部により前記切断が検出されたときに前記切断を報知する報知部と
をさらに備える、
請求項１から請求項５までのいずれか１項に記載の係留装置。
【請求項７】
宅配物収容器を係留するための係留装置であって、
係留ワイヤと、
前記係留ワイヤを巻き取る巻取器と
を備える、
係留装置。
【発明の詳細な説明】
【技術分野】
【０００１】
本発明は、宅配物収容器を係留するための係留装置に関する。
【背景技術】
【０００２】
近年、電子商取引（ＥＣ事業）の拡大に伴う宅配物の増加に対応するため、宅配物収容器の需要が拡大している。ここで言う宅配物収容器とは、利用者が家屋の出入口の近辺に設置する箱状又は袋状の容器を指す。宅配業者が宅配物を利用者に直接引き渡すことができないとき、直接の引き渡しに代えて、宅配物を宅配物収容器に収納することが一般化しつつある。宅配物収容器が自在に持ち運び可能であると、宅配物の逸失につながってしまう。このため、係留装置により宅配物収容器を係留し、宅配物収容器の持ち運びを制限する必要がある。
【０００３】
従来用いられていたこの種の係留装置としては、例えば下記の特許文献１等に示されている構成を挙げることができる。すなわち、従来の係留装置は、係留ワイヤを含んでいる。例えば室外側ドアハンドル等の家屋外側の部材に係留ワイヤの一端が括り付けられ、係留ワイヤの他端が宅配物収容器に繋がれる。
【先行技術文献】
【特許文献】
【０００４】
【特許文献１】特開２０１９−５４４３号公報
【発明の概要】
【発明が解決しようとする課題】
【０００５】
上記のような従来の係留装置では、家屋外側の部材に係留ワイヤが括り付けられるので、家屋外での作業により構造物への係留ワイヤの括り付けを解除でき、係留ワイヤとともに宅配物収容器を持ち運ぶことが可能となる虞がある。すなわち、従来の係留装置では防盗性が低くなっている。
【０００６】
また、上記の特許文献１では、ドアにドアポストが設けられている場合にドアポストを通して係留ワイヤの一端を室内に案内することも提案されている。しかしながら、ドアポストに係留ワイヤを通すと、ドアの本来の機能が制限される虞がある。
【０００７】
また、上記のような従来の係留装置では、室外において係留ワイヤが垂れ下がり、家屋の美観を損ねる虞がある。
【０００８】
本発明は、上記のような課題を解決するためになされたものであり、その目的の一つは、ドアの機能が制限されることを回避しつつ、防盗性を向上できる係留装置を提供することである。また、本発明の目的の一つは、係留ワイヤが垂れ下がり家屋の美観を損ねる虞を低減できる係留装置を提供することである。
【課題を解決するための手段】
【０００９】
本発明に係る係留装置は、一態様において、ドアと、ドアに取り付けられドアの開閉及び施錠を行うための開閉施錠部と、一部がドア内又はドアの室内側に配置されるとともにドア内又は室内側の部材に固定され、開閉施錠部をドアに取り付けるためにドアに設けられた開口を通してドアの室外側に引き出されており、ドアの室外側において宅配物収容器に繋ぐことが可能な係留ワイヤとを備える。
【００１０】
本発明に係る係留装置は、一態様において、係留ワイヤと、係留ワイヤを巻き取る巻取器とを備える。
【発明の効果】
【００１１】
本発明の係留装置によれば、一態様において、係留ワイヤの一部がドア内又はドアの室内側の部材に固定されているので、防盗性を向上できる。また、開閉施錠部をドアに取り付けるためにドアに設けられた開口を通して係留ワイヤがドアの室外側に引き出されるので、ドアの機能が制限されることを回避することができる。
【００１２】
また、本発明の係留装置によれば、一態様において、巻取器が係留ワイヤを巻き取るので、ドアの室外側において係留ワイヤが垂れ下がり家屋の美観を損ねる虞を低減できる。
【図面の簡単な説明】
【００１３】
【図１】本発明の実施の形態１による係留装置を示す側面図である。
【図２】図１の室外側ドアハンドルを斜め下方から見たときの斜視図である。
【図３】図１の室外側ドアハンドルの下部を示す斜視図である。
【図４】図３のカバー部材が室外側ドアハンドル本体から外れた状態を示す説明図である。
【図５】図３のカバー部材を示す背面図である。
【図６】図５のカバー部材の下部の断面図である。
【図７】図１の下部室外側ハンドルベースの前面側を示す斜視図である。
【図８】図１の下部室外側ハンドルベースの背面側を示す斜視図である。
【図９】図１の係留装置の要部を拡大して示す側面図である。
【図１０】図９の要部の分解斜視図である。
【図１１】図１の係留装置に含まれる機能を示すブロック図である。
【図１２】本発明の実施の形態２による係留装置を示す側面図である。
【図１３】本発明の実施の形態３による係留装置を示す側面図である。
【発明を実施するための形態】
【００１４】
以下、本発明を実施するための形態について、図面を参照して説明する。本発明は各実施の形態に限定されるものではなく、その要旨を逸脱しない範囲で構成要素を変形して具体化できる。また、各実施形態に開示されている複数の構成要素の適宜な組み合わせにより、種々の発明を形成できる。例えば、実施の形態に示される全構成要素からいくつかの構成要素を削除してもよい。さらに、異なる実施形態の構成要素を適宜組み合わせてもよい。
【００１５】
実施の形態１．
図１は、本発明の実施の形態１による係留装置１を示す側面図である。図１に示す係留装置１は、宅配物収容器２を係留し、宅配物収容器２の持ち運びを制限するための装置である。本実施の形態の宅配物収容器２は、利用者が家屋の出入口の近辺に設置する箱状の容器である。宅配物収容器２は、箱状のものに限定されず袋状等の他の態様を採ってもよい。宅配物収容器２が設置される家屋は、人の居住に用いられる建物に限定されず、店舗、工場、倉庫その他の建物であってもよい。また、家屋は、建物に限定されず、集合住宅の住戸等の建物内の一部の区画であってもよい。
【００１６】
図１に示すように、本実施の形態の係留装置１は、ドア３、開閉施錠部４、係留ワイヤ５及び巻取器６を有している。
【００１７】
＜ドアについて＞
ドア３は、家屋の出入口を開閉するための部材であり、出入口を閉じているとき家屋の室内と室外とを隔てている。図１では、右側を室内側とし、左側を室外側としている。ドア３は、開き戸であってもよいし、引き戸であってもよい。
【００１８】
ドア３は、室内側壁部３０、室外側壁部３１及び側端部３２を有している。室内側壁部３０及び室外側壁部３１は、ドア３が閉じられているとき、それぞれ室内側及び室外側に位置するドア３の壁である。側端部３２は、ドア３の側端において室内側壁部３０及び室外側壁部３１を接続する部分である。側端部３２は、ドア３が閉じられているとき、家屋の出入口を囲う枠体の縦枠（図示せず）に近接して対向するか又は当接される。
【００１９】
＜開閉施錠部について＞
開閉施錠部４は、ドア３に取り付けられ、ドア３の開閉及び施錠を行うための部分である。本実施の形態の開閉施錠部４は、下部錠ユニット４０、上部錠ユニット４１、室内側ドアハンドル４２及び室外側ドアハンドル４３を有している。
【００２０】
下部錠ユニット４０及び上部錠ユニット４１は、ドア３の施錠を行うためのユニットであり、上下方向に互いに離間してドア３に取り付けられている。図示はしないが、ドア３には、ユニット挿入空間が設けられている。このユニット挿入空間は、室内側壁部３０と室外側壁部３１との間に位置するとともに、側端部３２において開口している。下部錠ユニット４０及び上部錠ユニット４１は、側端部３２からユニット挿入空間に挿入されてドア３に固定されている。
【００２１】
下部錠ユニット４０は、下部デッドボルト４００を有している。
【００２２】
下部デッドボルト４００は、下部錠ユニット４０に設けられたシリンダ４０１（図３参照）の動きに連動して進退される部材である。より具体的には、下部錠ユニット４０のシリンダはそのシリンダに適合した鍵により回すことができ、シリンダが回されることで下部デッドボルト４００が進退される。下部デッドボルト４００は、側端部３２から突出する位置と、下部錠ユニット４０の内部に隠れる位置との間を進退することができる。家屋の出入口を囲う枠体の縦枠には、下部デッドボルト４００に対応する受部が設けられている。ドア３が閉じられているとき、下部デッドボルト４００が側端部３２から突出し縦枠の受部に進入することで、ドア３が施錠される。
【００２３】
上部錠ユニット４１は、上部デッドボルト４１０及びラッチボルト４１１を有している。
【００２４】
上部デッドボルト４１０は、上述の下部デッドボルト４００と同様である。すなわち、上部デッドボルト４１０は、上部錠ユニット４１に設けられたシリンダ（図示せず）の動きに連動して進退される部材である。より具体的には、上部錠ユニット４１のシリンダはそのシリンダに適合した鍵により回すことができ、シリンダが回されることで上部デッドボルト４１０が進退される。上部デッドボルト４１０は、側端部３２から突出する位置と、上部錠ユニット４１の内部に隠れる位置との間を進退することができる。家屋の出入口を囲う枠体の縦枠には、上部デッドボルト４１０に対応する受部が設けられている。ドア３が閉じられているとき、上部デッドボルト４１０が側端部３２から突出し縦枠の受部に進入することで、ドア３が施錠される。
【００２５】
ラッチボルト４１１は、家屋の出入口を囲う枠体にドア３を係合させるための部材である。ラッチボルト４１１は、側端部３２から突出する位置と、上部錠ユニット４１の内部に隠れる位置との間を進退することができる。枠体の縦枠にはラッチボルト４１１に対応する受部が設けられている。ドア３が閉じられるとき、枠体との接触によりラッチボルト４１１が上部錠ユニット４１の内部に一時的に退けられる。ラッチボルト４１１が受部に対向する位置までドア３が閉じられると、ラッチボルト４１１が受部に進入し、ドア３が枠体に係合される。ラッチボルト４１１は、室内側ドアハンドル４２及び室外側ドアハンドル４３の操作に連動して上部錠ユニット４１の内部に退くことが可能となる。室内側ドアハンドル４２及び室外側ドアハンドル４３の操作に連動して上部錠ユニット４１の内部に退くようにラッチボルト４１１が変位してよい。また、室内側ドアハンドル４２及び室外側ドアハンドル４３の操作に連動してラッチボルト４１１の向きが反転し、枠体との接触によりラッチボルト４１１が上部錠ユニット４１の内部に一時的に退けられてもよい。このようにラッチボルト４１１が反転する装置は、反転ラッチ装置と呼ばれることがある。ラッチボルト４１１が上部錠ユニット４１の内部に退くことにより、枠体へのドア３の係合が解除され、ドア３を開くことができる。
【００２６】
なお、下部デッドボルト４００及び上部デッドボルト４１０は、後述のサムターン４２０ａ，４２１ａによっても進退させることができる。さらに、図示はしないが、本実施の形態の下部錠ユニット４０及び上部錠ユニット４１は、下部デッドボルト４００及び上部デッドボルト４１０に接続された駆動部を有している。駆動部は、例えばモータ等のアクチュエータを含み、電力を動力源として下部デッドボルト４００及び上部デッドボルト４１０を進退させることができる。駆動部は、利用者による開錠／施錠操作を検出した際に下部デッドボルト４００及び上部デッドボルト４１０を進退させることができる。開錠／施錠操作は、例えばＩＣカード等の認証媒体を用いた認証操作、例えば暗証番号等の認証情報の入力操作及び例えばリモコン等の端末からの開錠／施錠信号の送信を含む。
【００２７】
室内側ドアハンドル４２は、ドア３の室内側壁部３０に取り付けられており、利用者がドア３を開閉する際に室内側から操作される。
【００２８】
室内側ドアハンドル４２は、下部室内側ハンドルベース４２０、上部室内側ハンドルベース４２１及び室内側グリップ４２２を有している。
【００２９】
下部及び上部室内側ハンドルベース４２０，４２１は、上下方向に互いに離間して室内側壁部３０に取り付けられている。下部及び上部室内側ハンドルベース４２０，４２１には、上述の下部デッドボルト４００及び上部デッドボルト４１０を進退させるためのサムターン４２０ａ，４２１ａが取り付けられている。
【００３０】
室内側グリップ４２２は、下部及び上部室内側ハンドルベース４２０，４２１に接続されている。本実施の形態の室内側グリップ４２２は、上下方向に延在する軸部を中心に揺動可能に設けられている。室内側グリップ４２２を揺動させることにより、上述のラッチボルト４１１を上部錠ユニット４１の内部に退くことを可能とし、枠体へのドア３の係合を解除することができる。
【００３１】
室外側ドアハンドル４３は、ドア３の室外側壁部３１に取り付けられており、利用者がドア３を開閉する際に室外側から操作される。
【００３２】
室外側ドアハンドル４３は、下部室外側ハンドルベース４３０、上部室外側ハンドルベース４３１及び室外側グリップ４３２を有している。
【００３３】
下部及び上部室外側ハンドルベース４３０，４３１は、上下方向に互いに離間して室外側壁部３１に取り付けられている。
【００３４】
室外側グリップ４３２は、下部及び上部室外側ハンドルベース４３０，４３１に接続されている。本実施の形態の室外側グリップ４３２は、前後方向に進退可能に設けられている。室外側の利用者が室外側グリップ４３２を手前に引くことにより、上述のラッチボルト４１１を上部錠ユニット４１の内部に退くことを可能とし、枠体へのドア３の係合を解除することができる。
【００３５】
なお、図１では、室内側ドアハンドル４２等のドア３の開閉を行うための開閉部と、下部錠ユニット４０等のドア３の施錠を行うための施錠部とが一体に設けられているように示している。しかしながら、これら開閉施錠部に含まれる開閉部及び施錠部は機械的に分離して設けられていてもよい。
【００３６】
＜係留ワイヤについて＞
係留ワイヤ５は、ドア３の室外側において宅配物収容器２に繋ぐことが可能な線状体である。本実施の形態の係留ワイヤ５は、ドア３の室外側に配置された折返部５０を有している。本実施の形態の係留ワイヤ５は、折返部５０及び宅配物収容器２に南京錠７が掛けられることにより宅配物収容器２に繋がれている。ただし、宅配物収容器２への係留ワイヤ５の繋ぎ方は他の方法を採ってもよい。南京錠７は、ダイヤル錠であり得る。
【００３７】
本実施の形態の係留ワイヤ５は、一部がドア３の室内側に配置されている。ドア３の室内側に配置された係留ワイヤ５の一部は、ドア３の室内側の部材に固定されている。ドア３の室内側において室内側の部材に係留ワイヤ５を固定することにより、室内側で作業しなければ係留ワイヤ５の固定を解除できず、防盗性を向上できる。
【００３８】
本実施の形態の係留ワイヤ５は、両端がドア３の室内側に配置されている。しかしながら、係留ワイヤ５の一端がドア３の室内側に配置され、係留ワイヤ５の他端がドア３の室外側に配置されてもよい。また、係留ワイヤ５の一部がドア３の室内側に配置されていれば、係留ワイヤ５の両端がドア３の室外側に配置されていてもよい。
【００３９】
また、本実施の形態の係留ワイヤ５は、ドア３の室内側の部材である室内側ドアハンドル４２（下部室内側ハンドルベース４２０）に巻取器６を介して固定されている。しかしながら、係留ワイヤ５は、巻取器６を介さずに室内側ドアハンドル４２に固定されてもよい（巻取器６が省略されていてもよい）。また、係留ワイヤ５は、例えばドア３の室内側壁部３０等のドア３の室内側の他の構成に固定されてもよい。
【００４０】
後に図を用いて説明するように、本実施の形態の係留ワイヤ５は、上述の開閉施錠部４をドア３に取り付けるためにドア３に設けられた開口を通してドア３の室外側に引き出されている。仮にドアポストを通して係留ワイヤ５をドア３の室外側に引き出した場合、係留ワイヤ５によりドアポストが半開きの状態となり、ドア３の機能が制限されてしまう。本実施の形態の構成のように、開閉施錠部４をドア３に取り付けるためにドア３に設けられた開口を通してドア３の室外側に係留ワイヤ５が引き出されていることで、ドア３の機能が制限されることを回避することができる。また、係留ワイヤ５を通すための専用の開口をドア３に設けた場合、コスト増大の要因になるとともに、ドア３の美観を損ねる虞がある。本実施の形態のように、開閉施錠部４のための開口が係留ワイヤ５を通すための開口を兼ねることで、このような問題の発生を回避できる。
【００４１】
＜巻取器について＞
巻取器６は、係留ワイヤ５を巻き取ることが可能な器具である。巻取器６が係留ワイヤ５を巻き取ることにより、室外側において係留ワイヤ５が垂れ下がり家屋の美観を損ねる虞を低減できる。
【００４２】
巻取器６は、ぜんまいバネの付勢により係留ワイヤ５をリールに巻き取ることができるように構成されていることが好ましい。例えば、巻取器６は、リールと、リールの外周に係留ワイヤ５を巻き付ける方向にリールを付勢するとともに、係留ワイヤ５を送り出す方向にリールが回転された際に回転エネルギーを蓄積するぜんまいバネとを有し、ぜんまいバネの付勢によりリールが回転されてリールの外周に係留ワイヤ５が巻き付けられるように構成することができる。しかしながら、巻取器６は、手動の回転操作により係留ワイヤ５をリールに巻き取るように構成されていてもよく、電動のアクチュエータにより係留ワイヤ５をリールに巻き取るように構成されていてもよい。
【００４３】
巻取器６が電動のアクチュエータを含む場合、巻取器６のアクチュエータは下部デッドボルト４００及び上部デッドボルト４１０を進退させる下部錠ユニット４０及び上部錠ユニット４１の駆動部（電気錠）と連動してもよい。例えば、巻取器６のアクチュエータは、駆動部の開錠動作（下部錠ユニット４０及び上部錠ユニット４１内に下部デッドボルト４００及び上部デッドボルト４１０を退かせる動作）を検出した際に、係留ワイヤ５をリールに巻き取ってもよい。このように構成することで、利用者が帰宅して宅配物収容器２内の荷物を回収した後、玄関錠を解錠するだけで係留ワイヤ５を巻き取ることができ、係留ワイヤ５を巻き取るだけの操作を不要とすることができる。
【００４４】
本実施の形態の巻取器６は、室内側ドアハンドル４２（下部室内側ハンドルベース４２０）に内蔵されている。しかしながら、巻取器６は、例えばドア３の室内側壁部３０等のドア３の室内側の他の部材に固定されてもよい。
【００４５】
次に、図２は、図１の室外側ドアハンドル４３を斜め下方から見たときの斜視図である。図２に示すように、室外側ドアハンドル４３には、係留ワイヤ５が引き出されるワイヤ引出口４３３が設けられている。本実施の形態のワイヤ引出口４３３は、下方に向かって開口している。換言すると、ワイヤ引出口４３３は、下方に向かって係留ワイヤ５が引き出されるように配設されている。宅配物収容器２は、室外側ドアハンドル４３よりも下方に配置されることが多い。ワイヤ引出口４３３が下方に向かって開口していることにより、係留ワイヤ５を宅配物収容器２に向けて引き出す時に係留ワイヤ５が室外側ドアハンドル４３と干渉する虞を低減できる。
【００４６】
ワイヤ引出口４３３は、室外側ドアハンドル４３の下部に配置されていることが好ましい。これにより、係留ワイヤ５が室外側ドアハンドル４３と干渉する虞をさらに低減できるとともに、係留ワイヤ５を目立ちにくくすることができる。なお、室外側ドアハンドル４３の下部は、高さ方向に係る室外側ドアハンドル４３の中央位置よりも下方の部分と理解することができる。ワイヤ引出口４３３は、室外側グリップ４３２の下端４３２ａよりも下方に配置されていることが好ましい。後に詳しく説明するように、本実施の形態のワイヤ引出口４３３は、室外側ドアハンドル本体４３４の下部のカバー部材４３５（下部カバー部材）に設けられている。
【００４７】
本実施の形態のワイヤ引出口４３３は、互いに離間して配置された一対の開口４３３ａ，４３３ｂと、それら開口４３３ａ，４３３ｂの間に設けられた板部４３３ｃとを有している。係留ワイヤ５は、折返部５０が板部４３３ｃをまたぐように開口４３３ａ，４３３ｂに通されている。これにより、係留ワイヤ５が巻取器６に巻き取られるとき、折返部５０が板部４３３ｃに掛かり、係留ワイヤ５が室外側ドアハンドル４３内に引き込まれることを回避することができる。しかしながら、ワイヤ引出口４３３を構成する開口の数は任意であり、ワイヤ引出口４３３は１つの開口により構成されてもよい。ワイヤ引出口４３３が１つの開口により構成されるとき、ワイヤ引出口４３３よりも大きな部材を係留ワイヤ５に取り付けて、その部材により係留ワイヤ５が室外側ドアハンドル４３内に引き込まれることを回避してもよい。
【００４８】
次に、図３は図１の室外側ドアハンドル４３の下部を示す斜視図であり、図４は図３のカバー部材４３５が室外側ドアハンドル本体４３４から外れた状態を示す説明図である。図３に示すように、本実施の形態の室外側ドアハンドル４３は、室外側ドアハンドル本体４３４及びカバー部材４３５を有している。室外側ドアハンドル本体４３４は、カバー部材４３５を説明するために用いる用語であり、室外側ドアハンドル４３のカバー部材４３５以外の部分を指す。カバー部材４３５は、室外側ドアハンドル本体４３４に着脱可能に設けられた部材である。
【００４９】
カバー部材４３５（下部カバー部材）は、室外側ドアハンドル本体４３４の下部に取り付けられることで、下部錠ユニット４０のシリンダ４０１を覆い隠す。図３には示さないが、室外側ドアハンドル本体４３４の上部には、上部錠ユニット４１のシリンダを覆い隠すためのカバー部材４３５（上部カバー部材）が設けられている。
【００５０】
図２及び図３に示すように、本実施の形態のワイヤ引出口４３３は、室外側ドアハンドル本体４３４の下部のカバー部材４３５（下部カバー部材）に設けられている。より具体的には、ワイヤ引出口４３３は、カバー部材４３５の底壁４３５ａに設けられている。ワイヤ引出口４３３がカバー部材４３５に設けられることで、図４に示すように係留ワイヤ５がカバー部材４３５のストラップを兼ね、カバー部材４３５の紛失の虞を低減できる。
【００５１】
次に、図５は図３のカバー部材４３５を示す背面図であり、図６は図５のカバー部材４３５の下部の断面図である。カバー部材４３５の内部には、底壁４３５ａから立設された舌片４３５ｂが設けられている。舌片４３５ｂには、案内孔４３５ｃが設けられている。係留ワイヤ５は、案内孔４３５ｃを通してワイヤ引出口４３３に向かうとともに、ワイヤ引出口４３３から案内孔４３５ｃを通してドア３側に向かっている。図５に特に表れているように、案内孔４３５ｃは、底壁４３５ａの幅方向（図５における左右方向）に関して底壁４３５ａの中央位置に配置されている。また、図６に特に表れているように、舌片４３５ｂは、底壁４３５ａの奥行方向（図６における左右方向）に関して底壁４３５ａの中央位置よりもワイヤ引出口４３３に近い位置に配置されている。ワイヤ引出口４３３は、底壁４３５ａの奥行方向に関して舌片４３５ｂよりも底壁４３５ａの前端側に配置されている。但し、ワイヤ引出口４３３の位置は任意である。ワイヤ引出口４３３は、底壁４３５ａの奥行方向に関して舌片４３５ｂよりも底壁４３５ａの後端側に配置されていてもよい。
【００５２】
次に、図７は、図１の下部室外側ハンドルベース４３０の前面側を示す斜視図である。図７に示すように、下部室外側ハンドルベース４３０には、シリンダ開口４３０ａ及び切欠４３０ｂが設けられている。シリンダ開口４３０ａは、下部錠ユニット４０のシリンダ４０１（図３参照）を露出させるための開口であり、正面から見たときに円形の外形を有している。切欠４３０ｂは、シリンダ開口４３０ａに連通して下部室外側ハンドルベース４３０に設けられている。本実施の形態の切欠４３０ｂは、上下方向に関してシリンダ開口４３０ａの中央位置よりも低い位置に設けられている。また、切欠４３０ｂは、シリンダ開口４３０ａの径方向に沿って延在されている。本実施の形態の係留ワイヤ５は、切欠４３０ｂを通されている。これにより、鍵をシリンダ４０１に挿入する際に係留ワイヤ５が鍵の挿入を阻害する虞を低減できる。
【００５３】
次に、図８は、図１の下部室外側ハンドルベース４３０の背面側を示す斜視図である。図８に示すように、下部室外側ハンドルベース４３０の背面側には、シリンダ開口４３０ａを囲う周囲壁４３０ｃが設けられている。周囲壁４３０ｃには、シリンダ開口４３０ａの周方向に関して切欠４３０ｂに対応する位置に隙間４３０ｄが設けられている。係留ワイヤ５は、隙間４３０ｄを通り切欠４３０ｂに向かうことができる。
【００５４】
本実施の形態の下部室外側ハンドルベース４３０の背面側の上部及び下部には、スピンドル４３６が取り付けられている。スピンドル４３６は、長手状の部材である。下部室外側ハンドルベース４３０がドア３の室外側壁部３１に取り付けられたとき、スピンドル４３６はドア３の室内側に突出する。スピンドル４３６は、下部室外側ハンドルベース４３０と下部室内側ハンドルベース４２０との接合に用いることができる。
【００５５】
次に、図９は、図１の係留装置１の要部を拡大して示す側面図である。図９に示すように、本実施の形態の係留ワイヤ５は、巻取器６を出た後に、室内側壁部３０からドア３の内部に進入し、スピンドル４３６とともに下部錠ユニット４０の下方の空間を通り抜け、室外側壁部３１からドア３を抜け出る。また、係留ワイヤ５は、ドア３を抜け出た後、下部室外側ハンドルベース４３０の切欠４３０ｂを通り下部室外側ハンドルベース４３０の表側に現れる。さらに、係留ワイヤ５は、カバー部材４３５の舌片４３５ｂに設けられた案内孔４３５ｃを通過した後に、ワイヤ引出口４３３からカバー部材４３５の外部へと引き出されている。カバー部材４３５の外部へと引き出された係留ワイヤ５の一端は、同じ経路を通って室内側に戻される。室内側に戻された係留ワイヤ５の一端は、室内側ドアハンドル４２に固定することができる。係留ワイヤ５の一端を固定するための専用の固定部が室内側ドアハンドル４２内に設けられていてもよいし、巻取器６を介して係留ワイヤ５の一端が室内側ドアハンドル４２に固定されてもよい。
【００５６】
次に、図１０は、図９の要部の分解斜視図である。図１０では、下部錠ユニット４０よりも室外側の構成を示し、例えば室内側壁部３０、下部室内側ハンドルベース４２０及び巻取器６等の室内側の構成の図示を省略している。
【００５７】
図１０に示すように、室外側壁部３１には、シリンダ開口３１０、下部開口３１１及び上部開口３１２が設けられている。シリンダ開口３１０は、下部錠ユニット４０のシリンダ４０１を露出させるための開口である。下部開口３１１及び上部開口３１２は、下部室外側ハンドルベース４３０のスピンドル４３６を通すための開口である。下部開口３１１は、室外側グリップ４３２から延びるハーネス４３２ｂを通すための開口を兼ねる。係留ワイヤ５は、室外側壁部３１の下部開口３１１を通り室外側壁部３１を通り抜けることができる。
【００５８】
図示はしないが、上述のシリンダ開口３１０、下部開口３１１及び上部開口３１２に対応する開口が室内側壁部３０に設けられている。係留ワイヤ５は、下部開口３１１に対応する室内側壁部３０の開口を通り室内側壁部３０を通り抜けることができる。
【００５９】
なお、図１０に示すように、本実施の形態の下部室外側ハンドルベース４３０と室外側壁部３１との間にはパッキンプレート４３７が介在される。パッキンプレート４３７は、板状の弾性体を含む。図示はしないが、下部室内側ハンドルベース４２０と室内側壁部３０との間にも同様のパッキンプレート４３７が介在される。
【００６０】
パッキンプレート４３７には、シリンダ開口４３７ａ、下部スピンドル開口４３７ｂ、上部スピンドル開口４３７ｃ及びワイヤ挿通部４３７ｄが設けられている。シリンダ開口４３７ａは、下部錠ユニット４０のシリンダ４０１を露出させるための開口であり、上述の室外側壁部３１のシリンダ開口３１０と同じ内径を有している。下部及び上部スピンドル開口４３７ｂ，４３７ｃは、スピンドル４３６が挿通される開口であり、スピンドル４３６の外径と実質的に等しい内径を有している。ワイヤ挿通部４３７ｄは、係留ワイヤ５を挿通するための部分である。本実施の形態のワイヤ挿通部４３７ｄは、パッキンプレート４３７の幅方向に延在された横長の切れ目とされている。切れ目は、係留ワイヤ５が挿通されていないとき開口していない。また、切れ目は、係留ワイヤ５が挿通されているとき係留ワイヤ５に接触している部分が弾性変形し係留ワイヤ５に密着した状態を維持する。
【００６１】
次に、図１１は、図１の係留装置１に含まれる機能を示すブロック図である。図１１に示すように、係留装置１は、切断検出部１０及び報知部１１を有している。切断検出部１０は、係留ワイヤ５の切断を検出する。切断検出部１０が係留ワイヤ５の切断を検出する方法は任意である。例えば、本実施の形態の係留装置１のように、係留ワイヤ５の折返部５０が板部４３３ｃをまたぐように設けられているとき（図２参照）、係留ワイヤ５が切断されていなければ巻取器６における係留ワイヤ５の巻き取り量は所定量を超えない。切断検出部１０は、巻取器６における係留ワイヤ５の巻き取り量が所定量を超えるとき、係留ワイヤ５の切断を検出してよい。
【００６２】
巻取器６に電動アクチュエータが含まれているとき、切断検出部１０は、電動アクチュエータの出力から係留ワイヤ５の切断を検出してよい。例えば、係留ワイヤ５を巻き取る際、係留ワイヤ５が切断されていなければ係留ワイヤ５の折返部５０が板部４３３ｃに掛かる。折返部５０が板部４３３ｃに掛かるとき巻取器６の電動アクチュエータの出力トルクが上昇する。切断検出部１０は、巻取器６の電動アクチュエータの出力トルクが上昇するか否かに基づき係留ワイヤ５の切断を検出してよい。
【００６３】
切断検出部１０は、係留ワイヤ５を含む電気回路に電流を流し、その電気回路に電流が流れるか否か又は電気回路の抵抗値に基づいて係留ワイヤ５の切断を検出してよい。係留ワイヤ５が切断されているとき、係留ワイヤ５を含む電気回路に電流が流れないか又はその電気回路の抵抗値が非常に大きくなる。切断検出部１０は、ドア３の開閉状態及び／又は施錠状体に基づき係留ワイヤ５に電流を流すか否かを判定することができる。例えば、切断検出部１０は、ドア３が施錠されていることを検出しているときにのみ、係留ワイヤ５に電流を流すことができる。これにより、電力消費量を低減できる。切断検出部１０は、下部デッドボルト４００及び上部デッドボルト４１０の少なくとも一方が側端部３２から突出しているとき、ドア３が施錠されていると判定することができる。
【００６４】
報知部１１は、切断検出部１０により係留ワイヤ５の切断が検出されたときに係留ワイヤ５の切断を報知する。報知部１１は、音及び／又は表示により係留ワイヤ５の切断を報知してよい。報知部１１は、利用者による開錠／施錠操作を検出したことを報知するスピーカ又は表示部を兼ねてもよい。
【００６５】
次に、本実施の形態の係留装置１の使用方法について説明する。利用者は、利用者の外出中に宅配物の配送が予想される場合、ドア３の室外側近辺に宅配物収容器２を配置する。この時、利用者は、室外側ドアハンドル４３の下部から係留ワイヤ５を引き出し、宅配物収容器２に係留ワイヤ５を引掛けてよい（仮止めしてよい）。
【００６６】
宅配業者は、利用者の不在時に宅配物収容器２に宅配物を収容するとともに、宅配物収容器２を閉塞した後に、南京錠７を用いて係留ワイヤ５を宅配物収容器２に繋ぐ。南京錠７がダイヤル錠であるとき、配達票に暗証番号を記載して、その配達票をポストに投函することができる。
【００６７】
帰宅した利用者は、配達票に記載された暗証番号に基づき南京錠７を開錠し、宅配物収容器２から宅配物を回収する。その後、利用者は、巻取器６により係留ワイヤ５を巻き取ることができる。巻取器６がぜんまいバネを含む場合、利用者が係留ワイヤ５を離すことによりぜんまいバネの付勢により係留ワイヤ５がリールに自動的に巻き取られる。手動の回転操作又は電動アクチュエータを操作することによって、巻取器６により係留ワイヤ５を巻き取ってもよい。
【００６８】
このような係留装置１では、係留ワイヤ５の一部がドア３の室内側の部材に固定されているので、防盗性を向上できる。また、開閉施錠部４をドア３に取り付けるためにドア３に設けられた開口を通して係留ワイヤ５がドア３の室外側に引き出されるので、ドア３の機能が制限されることを回避することができる。
【００６９】
また、係留ワイヤ５が室内側ドアハンドル４２に固定されているので、係留ワイヤ５を固定するための専用の構成を不要とでき、室内側の美観を損ねる虞を低減できる。
【００７０】
また、ドア３の室内側に配置された巻取器６により係留ワイヤ５を巻き取ることが可能であるので、ドア３の室外側において係留ワイヤ５が垂れ下がり家屋の美観を損ねる虞を低減できる。
【００７１】
また、室外側ドアハンドル４３から係留ワイヤ５を引き出すためのワイヤ引出口４３３が下方に向かって開口しているので、係留ワイヤ５を宅配物収容器２に向けて引き出す時に係留ワイヤ５が室外側ドアハンドル４３と干渉する虞を低減できる。
【００７２】
また、ワイヤ引出口４３３がカバー部材４３５に設けられているので、係留ワイヤ５がカバー部材４３５のストラップを兼ねることができ、カバー部材４３５の紛失の虞を低減できる。
【００７３】
また、切断検出部１０により係留ワイヤ５の切断が検出されたときに報知部１１が係留ワイヤ５の切断を報知するので、利便性を向上させることができる。
【００７４】
実施の形態２．
図１２は、本発明の実施の形態２による係留装置１を示す側面図である。実施の形態１では巻取器６が室内側ドアハンドル４２（下部室内側ハンドルベース４２０）に内蔵され、巻取器６を介して係留ワイヤ５が室内側ドアハンドル４２に固定されるように説明した。しかしながら、図１２に示すように、係留ワイヤ５の一部がドア３内の部材に固定されてもよい。係留ワイヤ５がドア３の室内側に配置されていなくてもよい。図１２に示す態様では、巻取器６が下部錠ユニット４０に内蔵されており、係留ワイヤ５が巻取器６を介して下部錠ユニット４０に固定されている。巻取器６が下部錠ユニット４０に内蔵されずにドア３の内部で固定されていてもよい。巻取器６が省略されて、係留ワイヤ５が下部錠ユニット４０又はドア３内の突起等のドア３内部の部材に固定されてもよい。その他の構成は、実施の形態１と同様である。
【００７５】
このような係留装置１では、係留ワイヤ５の一部がドア３内の部材に固定されているので、室外の作業だけで係留ワイヤ５の固定を解除できる状況を避けることができ、防盗性を向上できる。
【００７６】
実施の形態３．
図１３は、本発明の実施の形態３による係留装置１を示す側面図である。実施の形態１では巻取器６が室内側ドアハンドル４２（下部室内側ハンドルベース４２０）に内蔵され、開閉施錠部４をドア３に取り付けるためにドア３に設けられた開口を通して係留ワイヤ５がドア３の室外側に引き出されるように説明した。しかしながら、図１３に示すように、巻取器６がドア３の室外側に配置されてよい。この場合、係留ワイヤ５は、開閉施錠部４をドア３に取り付けるためにドア３に設けられた開口を通されなくてよい。
【００７７】
巻取器６は、ドア３の室外側壁部３１に固定されている。室外側壁部３１への巻取器６の固定方法は任意であるが、例えば磁力又は両面テープ等により室外側壁部３１に固定してよい。巻取器６は、例えば家屋の外壁等の室外側壁部３１以外の室外の部材に固定されてもよい。
【００７８】
巻取器６は、下方に向けて係留ワイヤ５を引き出すことができるように配設されていることが好ましい。巻取器６は、高さ方向に係る室外側ドアハンドル４３の中央位置よりも下方に配置されていることが好ましい。図１２では、巻取器６が室外側ドアハンドル４３の下端よりも下方に配置されている態様を示している。その他の構成は実施の形態１，２と同様である。
【００７９】
このような係留装置１では、巻取器６により係留ワイヤ５を巻き取ることが可能であるので、ドア３の室外側において係留ワイヤ５が垂れ下がり家屋の美観を損ねる虞を低減できる。
【符号の説明】
【００８０】
１      係留装置
２      宅配物収容器
３      ドア
３０    室内側壁部
３１    室外側壁部
４      開閉施錠部
４２    室内側ドアハンドル
４３    室外側ドアハンドル
４３３  ワイヤ引出口
４３４  室外側ドアハンドル本体
４３５  カバー部材
５      係留ワイヤ
６      巻取器
【図１】
2020191976.tif 000003
【図２】
2020191976.tif 000004
【図３】
2020191976.tif 000005
【図４】
2020191976.tif 000006
【図５】
2020191976.tif 000007
【図６】
2020191976.tif 000008
【図７】
2020191976.tif 000009
【図８】
2020191976.tif 000010
【図９】
2020191976.tif 000011
【図１０】
2020191976.tif 000012
【図１１】
2020191976.tif 000013
【図１２】
2020191976.tif 000014
【図１３】
2020191976.tif 000015